(57)【特許請求の範囲】
【請求項１】
上下の金属板の間に断熱材を充填して屋根パネルを形成し、この屋根パネルの一側端部に上側の金属板を外方に延出させた弾性変形可能な被覆片を設けると共に屋根パネルの他側端部に上方に突出する山部を設け、隣接する屋根パネルのうち一方の屋根パネルの山部に他方の屋根パネルの被覆片を被覆して複数の屋根パネル同士を連結してなる屋根の構造であって、山部の内側部に下方程内方に向けて傾斜する内側傾斜面を形成し、山部の外側部に下方程外方に向けて傾斜する外側傾斜面を形成すると共にこの外側傾斜面の勾配角度を内側傾斜面の勾配角度に比べて急勾配に形成し、内側傾斜面の下部に係止凹部を外方に向けて凹設し、外側傾斜面の下部に挿入凹部を内方に向けて凹設し、被覆片の延出先端部に内方に突出して山部の係止凹部に係止する係止凸部を形成し、被覆片の延出基端部に外方に突出して山部の挿入凹部に挿入する挿入凸部を形成し、被覆片の延出先端部と延出基端部との間に山部の上部を被覆する略水平な踏込面を形成し、被覆片の係止凸部と挿入凸部の先端間の距離を山部の内側傾斜面と外側傾斜面の上端間の距離より長く且つ山部の内側傾斜面と外側傾斜面の下端間の距離よりも短く形成したことを特徴とする屋根の構造。
【請求項２】
屋根パネルの一側端面を下方程内方に向けて傾斜して外斜め下方に面する傾斜面に形成し、この傾斜面にされた一側端面の水平面に対する勾配角度を山部の外側傾斜面の勾配角度よりも緩い勾配に形成したことを特徴とする請求項１記載の屋根の構造。
【請求項３】
被覆片を形成する上側の金属板の板厚ｔを０．２７〜０．６ｍｍに形成し、踏込面となる被覆片の上端と屋根パネルの上面との距離Ｈを２０〜１００ｍｍに形成したことを特徴とする請求項１または２記載の屋根の構造。
【請求項４】
被覆片の踏込面と挿入凸部との距離における被覆片の踏込面と係止凸部との距離に対する長さの割合を０．２〜１．０にしたことを特徴とする請求項３記載の屋根の構造。
【請求項５】
上方に凹む円弧面または平面に形成した山部の挿入凹部の下面と上方に突出する円弧面に形成した被覆片の挿入凸部の上面との間に一点の接触点を設け、挿入凸部の接触点から延出基端までの被覆片の部位において上記接触点の接線方向における接触点の法線軸からの最大距離Δ（ｍｍ）が、被覆片の許容応力σａ（Ｎ／ｍｍ２）と、法線軸の垂直方向に対する傾き角度θと、被覆片の板厚ｔ（ｍｍ）と、屋根に吹き付ける風により屋根パネルを浮上させようとする端位負圧力Ｒ（Ｎ／ｍｍ）との関係において、式（１）を満たすことを特徴とする請求項１乃至４のいずれかに記載の屋根の構造。
式（１）： Δ＜（σａ−（Ｒ／ｔcosθ））×（ｔ２cosθ／６Ｒ）
【請求項６】
屋根パネルの他側端部の下部に少なくとも上方に突出した縦突部を有してなる目地形成用突部を形成し、屋根パネルの一側端部の下部に隣接する屋根パネル同士を連結させたときに目地形成用突部を収容する目地形成用凹部を凹設すると共に、この目地形成用凹部に縦突部を収容可能にする縦突部収納用凹部を形成し、目地形成用突部を目地形成用凹部に収容したときに、目地形成用突部の外端面と目地形成用凹部の内端面とを近接させて屋根の下方に臨む目地溝を形成すると共に、縦突部収納用凹部の外側面と縦突部の内側面とを近接させたことを特徴とする請求項１乃至５のいずれかに記載の屋根の構造。
【請求項７】
上下の金属板の間に断熱材を充填して屋根パネルを形成し、この屋根パネルの一側端部に上側の金属板を外方に延出させた弾性変形可能な被覆片を設けると共に屋根パネルの他側端部に上方に突出する山部を設け、隣接する屋根パネルのうち一方の屋根パネルの山部に他方の屋根パネルの被覆片を被覆して複数の屋根パネル同士を連結してなる屋根の施工方法であって、山部の内側部に下方程内方に向けて傾斜する内側傾斜面を形成し、山部の外側部に下方程外方に向けて傾斜する外側傾斜面を形成すると共にこの外側傾斜面の勾配角度を内側傾斜面の勾配角度に比べて急勾配に形成し、内側傾斜面の下部に係止凹部を外方に向けて凹設し、外側傾斜面の下部に挿入凹部を内方に向けて凹設し、被覆片の延出先端部に内方に突出して山部の係止凹部に係止する係止凸部を形成し、被覆片の延出基端部に外方に突出して山部の挿入凹部に挿入する挿入凸部を形成し、被覆片の延出先端部と延出基端部との間に山部の上部を被覆する略水平な踏込面を形成し、被覆片の係止凸部と挿入凸部の先端間の距離を山部の内側傾斜面と外側傾斜面の上端間の距離より長く且つ山部の内側傾斜面と外側傾斜面の下端間の距離よりも短く形成し、あらかじめ一方の屋根パネルを屋根下地に載設固定し、この一方の屋根パネルに対して他方の屋根パネルをその被覆片が一方の屋根パネルの山部に重なるように仮置きし、このとき、被覆片の挿入凸部を山部の外側傾斜面に載置すると共に被覆片の係止凸部を山部の内側傾斜面に載置し、被覆片の踏込面を施工者が上方から踏み込むことで、内側傾斜面に載置された係止凸部が内側傾斜面の途中にとどまったまま外側傾斜面に載置された挿入凸部が外側傾斜面に沿って下方にスライド移動して挿入凸部が挿入凹部に挿入され、続けて内側傾斜面に載置されている係止凸部が内側傾斜面に沿って下方にスライド移動されて係止凸部が係止凹部に至って係止凸部が係止凹部に係止されて一対の屋根パネル同士を連結させたことを特徴とする屋根の施工方法。
【発明の詳細な説明】
【技術分野】
【０００１】
本発明は、屋根の構造及び屋根の施工方法に関するものである。
【背景技術】
【０００２】
従来から、図２０のように、上下の金属板２，３の間に断熱材４を充填して屋根パネル１を形成し、この屋根パネル１の一側端部１ａに上側の金属板２を外方に延出させた弾性変形可能な被覆片６を設けると共に屋根パネル１の他側端部１ｂに上方に突出する山部７を設け、隣接する屋根パネル１のうち一方の屋根パネル１の山部７に他方の屋根パネル１の被覆片６を被覆して複数の屋根パネル同士１，１を連結してなる屋根の構造が知られている（たとえば特許文献１、特許文献２参照）。
【０００３】
この屋根パネルは、詳しくは、山部７の内側部には下方程内方に向けて傾斜する内側傾斜面８が形成されると共に、山部７の外側部には下方程外方に向けて傾斜する外側傾斜面９が上記内側傾斜面８と略同勾配に形成されており、内側傾斜面８の下部には係止凹部１０が外方に向けて凹設されると共に、外側傾斜面９の下部には挿入凹部１１が内方に向けて凹設されている。また、被覆片６は、屋根パネル１同士を隣接配置した際には山部７に接触しないでその上方に位置するように屋根パネル１の一側端部１ａからやや外斜め上方に向けて延出されており、被覆片６の延出先端部には係止凸部１２が内方に突設されると共に、被覆片６の延出基端部には挿入凸部１３が外方に突設されている。そして、隣接する１対の屋根パネル１，１の連結部位では、被覆片６の挿入凸部１３を山部７の挿入凹部１１に挿入すると共に、被覆片６の係止凸部１２を山部７の係止凹部１０に係止させることで、山部７に被覆片６を被覆させた構造で隣接した屋根パネル同士１，１が連結されるようになっている。
【０００４】
ところで、従来の屋根パネル１の葺設にかかる施工の流れは下記のようなものである。まず、施工者は屋根パネル１を後ろ手に持って前方視界を確保しながら屋根下地３４を構成する屋根梁上を歩行し、屋根下地３４上の屋根パネル１の設置位置近傍（屋根下地３４に既設した屋根パネル１の隣接位置近傍）に屋根パネル１を下ろして仮置きする仮置き施工が行われる。次に、隣接する屋根パネル１同士の連結施工が下記のように行われる。まず施工者は上記仮置した屋根パネル１における既設した屋根パネル１とは反対側の隣接位置（屋根下地３４上）に移動する。次に施工者は図２１の矢印Ｂのように上記仮置きした屋根パネル１を既設の屋根パネル１側に押してスライド移動させ、仮置きした屋根パネル１の一側端部１ａを既設の屋根パネル１の他側端部１ｂに突き合わせ、被覆片６の挿入凸部１３を山部７の挿入凹部１１に側方から挿入する。次に施工者は既設した屋根パネル１の他側端部１ｂ上に移動する。最後に施工者は図２０の矢印Ｃのように一方の屋根パネル１の山部７に他方の屋根パネル１の被覆片６を覆い被せて被覆片６の係止凸部１２を山部７の係止凹部１０に係止させる。このように屋根パネル１の連結施工には４種類の施工動作が必要となり、その施工性は良好と言えるものではなかった。
【０００５】
そこで、本発明者は、本願に至る過程で、屋根パネル１の連結施工の施工性を向上させるべく鋭意研究を重ね、下記のように想起した。つまり、上記図２０，２１の屋根パネル１の被覆片６を、屋根パネル１の一側端部１ａから略水平な外方に向けて延出すると共に、被覆片６の上部の平坦部分を踏込面とするように変更する。そして、施工者に後ろ手に把持されて搬送された屋根パネル１の被覆片６を、屋根下地３４に既設した屋根パネル１の山部７に重ね載せて仮置きして仮置き施工をする。このとき施工者は既設の屋根パネル１上に位置するのであるが、上記仮置き施工後に特に立ち位置を変更することなく上記既設の屋根パネル１上に位置した施工者によって被覆片６の踏込面を下方に向けて踏み込み、被覆片６の挿入凸部１３を山部７の挿入凹部１１に挿入させると共に被覆片６の係止凸部１２を山部７の係止凹部１０に係止させる、といったことで隣接する屋根パネル１同士の連結施工を行わせるのである。これにより、屋根パネル１同士の連結施工の施工動作は、屋根パネル１の仮置き施工後の位置に立つ施工者による被覆片６の踏込み動作のみで行わせることができたことから、その施工性を大幅に向上できたものである。しかしながら、上記施工者が被覆片６の踏込面を下方に向けて踏込む踏込力に大きな力が必要とされており、依然としてその施工性は良好とは言えず、実用化にはほど遠いものが得られるに過ぎないものであった。
【０００６】
この結果を受けて本発明者が更に鋭意研究を進めたところ、施工者が加える踏込力に大きな力が必要とされる理由として、挿入凸部１３の挿入凹部１１への挿入と係止凸部１２の係止凹部１０への係止とが略同時のタイミングで行われていることに原因があることを解明するに至った。つまり、挿入凸部１３の挿入凹部１１への挿入には挿入凸部１３が外側傾斜面９を超える際に被覆片６を弾性変形させる必要があり、同様に、係止凸部１２の係止凹部１０への係止には係止凸部１２が内側傾斜面８を超える際に被覆片６を弾性変形させる必要がある。挿入凸部１３の挿入凹部１１への挿入と係止凸部１２の係止凹部１０への係止とが略同時のタイミングで行われることは、すなわち、挿入凸部１３が外側傾斜面９を超えるに必要な被覆片６の弾性変形量と係止凸部１２が内側傾斜面８を超えるに必要な被覆片６の弾性変形量とが同時に必要であって、上記被覆片６の弾性変形量を確保するために施工者の付与する踏込力には大きな力が必要とされていたのである。
【特許文献１】特開２００４−１５０２５９号公報
【特許文献２】実用新案登録第２５６５４８４号公報
【発明の開示】
【発明が解決しようとする課題】
【０００７】
なお、屋根は屋内への雨漏り防止を確保する必要があり、屋根パネル１を屋根下地３４に固定するボルト等の固着具２７（図２０）の打ち込みに際しては上記雨漏り防止を確保しなければならない。つまり固着具２７の屋根パネル１への打込位置は屋根外面に露出する部分に設けることはできないのであり、上記のような屋根パネル１では被覆片６によって覆われる山部７に固着具２７が打入されるのが一般的である。つまり屋根パネル１は山部７のある他側端部１ｂでのみ固着具２７にて屋根下地３４に固定されることとなる。しかして屋根パネルの一側端部１ａは被覆片６の隣接する屋根パネル１の山部７への連結によって間接的に屋根下地３４に固定されることとなる。ここで、屋根を構成した屋根パネル１には屋根に当たる風によって上方に持ち上げようとする負圧力がかかる。この負圧力に対し、屋根パネル１の他側端部１ｂでは固着具２７により耐強度を確保できるが、屋根パネル１の一側端部１ａでは被覆片６の山部７への連結構造によって耐強度を確保する必要がある。つまり、屋根パネル１の連結構造には負圧力への耐強度も備える必要がある。
【０００８】
また、建物内空間の有効利用を図って屋根裏に部屋を設けることもよく行われており、この場合、隣接する屋根パネル１の間にできる目地溝３３（図２０）が屋根裏部屋に露出することとなるから、屋根裏部屋の施工性の向上に資するように屋根パネル１の連結構造においては上記目地溝３３の溝幅を小さく且つ均一に形成することが必要とされる。また、上記構造の屋根においては屋根パネル１の連結部位の被覆片６と山部７との間から雨水が侵入して屋根パネル１の下面に至ると雨漏りが発生するから、被覆片６と山部７との間には水密パッキンを配設する必要がある。
【０００９】
本発明は、上記屋根に必要な条件を踏まえ、上記従来の問題点（屋根パネル同士の連結施工の施工性の悪さ）に鑑みて為したものであって、屋根パネル同士の連結施工の施工性を大幅に向上できる屋根の構造及び屋根の施工方法を提供することを課題とするものである。
【課題を解決するための手段】
【００１０】
上記課題を解決するために本発明の請求項１に係る屋根の構造は、上下の金属板２，３の間に断熱材４を充填して屋根パネル１を形成し、この屋根パネル１の一側端部１ａに上側の金属板２を外方に延出させた弾性変形可能な被覆片６を設けると共に屋根パネル１の他側端部１ｂに上方に突出する山部７を設け、隣接する屋根パネル１のうち一方の屋根パネル１の山部７に他方の屋根パネル１の被覆片６を被覆して複数の屋根パネル同士１，１を連結してなる屋根の構造であって、山部７の内側部に下方程内方に向けて傾斜する内側傾斜面８を形成し、山部７の外側部に下方程外方に向けて傾斜する外側傾斜面９を形成すると共にこの外側傾斜面９の勾配角度αを内側傾斜面８の勾配角度βに比べて急勾配に形成し、内側傾斜面８の下部に係止凹部１０を外方に向けて凹設し、外側傾斜面９の下部に挿入凹部１１を内方に向けて凹設し、被覆片６の延出先端部に内方に突出して山部７の係止凹部１０に係止する係止凸部１２を形成し、被覆片６の延出基端部に外方に突出して山部７の挿入凹部１１に挿入する挿入凸部１３を形成し、被覆片６の延出先端部と延出基端部との間に山部７の上部を被覆する略水平な踏込面１４を形成し、被覆片６の係止凸部１２と挿入凸部１３の先端間の距離Ｌ１を山部７の内側傾斜面８と外側傾斜面９の上端間の距離Ｌ２より長く且つ山部７の内側傾斜面８と外側傾斜面９の下端間の距離Ｌ３よりも短く形成したことを特徴とする。
【００１１】
これによると、屋根下地３４に載設固定した一方の屋根パネル１に対し、施工者が後ろ手に持って搬送してきた他方の屋根パネル１をその被覆片６が上記一方の屋根パネル１の山部７に重なるように仮置きしたときには、被覆片６の係止凸部１２と挿入凸部１３の先端間の距離Ｌ１が山部７の内側傾斜面８と外側傾斜面９の上端間の距離Ｌ２より長く且つ山部７の内側傾斜面８と外側傾斜面９の下端間の距離Ｌ３よりも短く形成されているので、一方の屋根パネル１の山部７の内側傾斜面８には他方の屋根パネル１の被覆片６の係止凸部１２を載置すると共に該山部７の外側傾斜面９には該被覆片６の挿入凸部１３を載置した状態に確実にできる。ここで、この他方の屋根パネル１の仮置き状態では、他方の屋根パネル１を後ろ手に持って搬送してきた施工者は既設された一方の屋根パネル１上に立つこととなる。次に、上記仮置きした屋根パネル１同士を連結するのであるが、この施工作業は、上記仮置き施工後の立ち位置を変更せずにそのままの立ち位置で施工者が被覆片６の踏込面１４を上方から踏み込むことで行うことができる。つまり、屋根パネル１の仮置き後に立ち位置を変更しない施工者による被覆片６を踏み込むというワンアクションの施工作業で屋根パネル同士１，１を連結できるから、良好な施工作業で屋根パネル１の連結施工を行うことができるのである。そして、この屋根パネル１の連結施工において、施工者が被覆片６の踏込面１４を上方から踏み込んだ際には、山部７の外側傾斜面９の勾配角度αが内側傾斜面８の勾配角度βに比べて急勾配に形成されているので、内側傾斜面８に載置された係止凸部１２は内側傾斜面８の途中にとどまったまま外側傾斜面９に載置された挿入凸部１３が外側傾斜面９に沿って下方にスライド移動して外側傾斜面９の最下端を越えて挿入凹部１１に至り、挿入凸部１３が挿入凹部１１に挿入位置された時点で内側傾斜面８に載置されている係止凸部１２が内側傾斜面８に沿って下方にスライド移動して内側傾斜面８の最下端を越えて係止凹部１０に至ることで、山部７に被覆片６を被覆させて隣接する一対の屋根パネル同士１，１を連結させることができる。つまり、被覆片６の挿入凸部１３の山部７の挿入凹部１１への挿入、被覆片６の係止凸部１２の山部７の係止凹部１０への係止が、従来技術にあるように同時に行われるものではなく、タイミングをずらして順次連続的に行わせることができたことから、施工者による踏込面１４への踏込力は、まず挿入凸部１３を外側傾斜面９に乗り越えさせ、次いで係止凸部１２を内側傾斜面８に乗り越えさせる、といったように順に集中して使われることとなり、従来技術のように挿入凸部１３を外側傾斜面９に乗り越えさせると同時に係止凸部１２を内側傾斜面８に乗り越えさせるために被覆片６を大きく弾性変形させる必要もなく、つまり施工者は小さい踏込力で施工作業を行うことができたものであり、この点でも屋根パネル１の連結施工に良好な施工性を確保できる。
【００１２】
また、請求項２に係る屋根の構造は、請求項１において、屋根パネル１の一側端面５ａを下方程内方に向けて傾斜して外斜め下方に面する傾斜面に形成し、この傾斜面にされた一側端面５ａの水平面に対する勾配角度ζを山部７の外側傾斜面９の勾配角度αよりも緩い勾配に形成したことを特徴とする。
【００１３】
これによると、被覆片６を山部７に重ねるように仮置きした際に、被覆片６の挿入凸部１３を山部７の外側傾斜面９の上端近傍部位、つまり外側傾斜面９の内側寄りの部位に確実に接地させることができ、山部７の形状設定の自由度を向上させて、施工者が付加する踏込力の低減化を図って屋根パネル１の連結施工の施工性を向上できる。
【００１４】
また、請求項３に係る屋根の構造は、請求項１または２において、被覆片６を形成する上側の金属板２の板厚ｔを０．２７〜０．６ｍｍに形成し、踏込面１４となる被覆片６の上端と屋根パネル１の上面との距離Ｈを２０〜１００ｍｍに形成したことを特徴とする。
【００１５】
これによると、上記距離Ｈを長く形成したり、上記板厚ｔを薄くすることで、踏込面１４を踏み込んだ際に被覆片６における踏込面１４と係止凸部１２との間や踏込面１４と挿入凸部１３との間の撓み量を大きくできる傾向があり、その結果、施工者が付加する踏込力を小さくできて屋根パネル１の連結施工の施工性を向上できるのであるが、ここで、上記踏込面１４となる被覆片６の上端と屋根パネル１の上面との距離Ｈを２０〜１００ｍｍに形成すると共に被覆片６を形成する上側の金属板２の板厚ｔを０．２７〜０．６ｍｍに形成することで、屋根パネル１からの被覆片６の上方突出量も気になるほどではなくて良好な屋根外観を確保すると共に被覆片６や屋根パネル１の強度も確保した上で、一人の施工者が踏込面１４に容易に付与できる踏込力（たとえば１０ｋｇｆ／ｍ以下、好ましくは５ｋｇｆ／ｍ以下）で屋根パネル１の連結施工を施工性良好に行わせることができるのである。
【００１６】
また、請求項４に係る屋根の構造は、請求項３において、被覆片６の踏込面１４と挿入凸部１３との距離Ｌ４における被覆片６の踏込面１４と係止凸部１２との距離Ｌ５に対する長さの割合ｂを０．２〜１．０にしたことを特徴とする。
【００１７】
これによると、上記割合ｂの増減により、施工者が付加する踏込力の大小を変化させることができるのであるが、上記割合ｂを０．２〜１．０の範囲で設定した場合には、被覆片６の強度も確保しつつ一人の施工者が踏込面１４に容易に付与できる踏込力（たとえば１０ｋｇｆ／ｍ以下、好ましくは５ｋｇｆ／ｍ以下）で屋根パネル１の連結施工を施工性良好に行わせることが可能になる。
【００１８】
また、請求項５に係る屋根の構造は、請求項１乃至４のいずれかにおいて、上方に凹む円弧面または平面に形成した山部７の挿入凹部１１の下面と上方に突出する円弧面に形成した被覆片６の挿入凸部１３の上面との間に一点の接触点Ｄを設け、挿入凸部１３の接触点Ｄから延出基端までの被覆片６の部位において上記接触点Ｄの接線方向における接触点Ｄの法線軸Ｅからの最大距離Δ（ｍｍ）が、被覆片６の許容応力σａ（Ｎ／ｍｍ２）と、法線軸Ｅの垂直方向に対する傾き角度θと、被覆片６の板厚ｔ（ｍｍ）と、屋根に吹き付ける風により屋根パネル１を浮上させようとする端位負圧力Ｒ（Ｎ／ｍｍ）との関係において、式（１）：Δ＜（σａ−（Ｒ／ｔcosθ））×（ｔ２cosθ／６Ｒ）を満たすことを特徴とする。
【００１９】
これによると、屋根に吹き付ける風により屋根パネル１を浮上させようとする負圧力は、被覆片６が山部７に被覆した屋根パネル１の連結部分では挿入凸部１３の接触点Ｄから延出基端までの被覆片６の部位に集中して負荷されることとなるため、上記負圧力が挿入凸部１３の接触点Ｄから延出基端までの被覆片６の部位を降伏させる恐れがあるが、この挿入凸部１３の接触点Ｄから延出基端までの被覆片６の部位を、接触点Ｄの法線軸Ｅからの最大距離Δ（ｍｍ）が、被覆片６の許容応力σａ（Ｎ／ｍｍ２）と、法線軸Ｅの垂直方向に対する傾き角度θと、被覆片６の板厚ｔ（ｍｍ）と、屋根に吹き付ける風により屋根パネル１を浮上させようとする端位負圧力Ｒ（Ｎ／ｍｍ）との関係において、Δ＜（σａ−（Ｒ／ｔcosθ））×（ｔ２cosθ／６Ｒ）を満たすようにすると、負圧力による挿入凸部１３の接触点Ｄから延出基端までの被覆片６の部位の降伏を完全に無くすることができ、完全な耐負圧性能を備えた強固な屋根の構造を確保することができる。
【００２０】
また、請求項６に係る屋根の構造は、請求項１乃至５のいずれかにおいて、屋根パネル１の他側端部１ｂの下部に少なくとも上方に突出した縦突部１７を有してなる目地形成用突部１５を形成し、屋根パネル１の一側端部１ａの下部に隣接する屋根パネル１同士を連結させたときに目地形成用突部１５を収容する目地形成用凹部１８を凹設すると共に、この目地形成用凹部１８に縦突部１７を収容可能にする縦突部収納用凹部２０を形成し、目地形成用突部１５を目地形成用凹部１８に収容したときに、目地形成用突部１５の外端面と目地形成用凹部１８の内端面とを近接させて屋根の下方に臨む目地溝３３を形成すると共に、縦突部収納用凹部２０の外側面２０ｂと縦突部１７の内側面１７ｂとを近接させたことを特徴とする。
【００２１】
隣接させる１対の屋根パネル１，１のうち一方の屋根パネル１の山部７の外側傾斜面９を経て他方の屋根パネル１の挿入凸部１３が挿入凹部１１に至る際には、挿入凸部１３が外側傾斜面９の最下端を越える時点で被覆片６の弾性変形量は最大になるのであって、挿入凸部１３が外側傾斜面９の最下端を越えた瞬間、被覆片６は山部７の内側傾斜面８に係止凸部１２が接地されたままの状態で弾性復帰し、他方の屋根パネル１を一方の屋根パネル１に向けて引き寄せるのであるが、このとき一方の屋根パネル１の目地形成用突部１５を他方の屋根パネル１の目地形成用凹部１８に収納し、目地形成用突部１５の外端面を目地形成用凹部１８の内端面に外方から当接させることで、一方の屋根パネル１に対して他方の屋根パネル１を安定的に位置決め配置できると共に、屋根の下方に臨む目地溝３３をほとんど目地幅の無い糸目地形状に形成することができる。また、一方の屋根パネル１の目地形成用突部１５を目地形成用凹部１８に収容した状態の他方の屋根パネル１に対し、一方の屋根パネル１から離間させる方向に何らかの外力が付加した場合にも、近接状態にある目地形成用凹部１８の縦突部収納用凹部２０の外側面２０ｂが目地形成用突部１５の縦突部１７の内側面１７ｂによって移動規制がされることから、一方の屋根パネル１と他方の屋根パネル１との離間防止が図られる利点もある。
【００２２】
また、請求項７に係る屋根の施工方法は、上下の金属板２，３の間に断熱材４を充填して屋根パネル１を形成し、この屋根パネル１の一側端部１ａに上側の金属板２を外方に延出させた弾性変形可能な被覆片６を設けると共に屋根パネル１の他側端部１ｂに上方に突出する山部７を設け、隣接する屋根パネル１のうち一方の屋根パネル１の山部７に他方の屋根パネル１の被覆片６を被覆して複数の屋根パネル同士１，１を連結してなる屋根の施工方法であって、山部７の内側部に下方程内方に向けて傾斜する内側傾斜面８を形成し、山部７の外側部に下方程外方に向けて傾斜する外側傾斜面９を形成すると共にこの外側傾斜面９の勾配角度を内側傾斜面８の勾配角度に比べて急勾配に形成し、内側傾斜面８の下部に係止凹部１０を外方に向けて凹設し、外側傾斜面９の下部に挿入凹部１１を内方に向けて凹設し、被覆片６の延出先端部に内方に突出して山部７の係止凹部１０に係止する係止凸部１２を形成し、被覆片６の延出基端部に外方に突出して山部７の挿入凹部１１に挿入する挿入凸部１３を形成し、被覆片６の延出先端部と延出基端部との間に山部７の上部を被覆する略水平な踏込面１４を形成し、被覆片６の係止凸部１２と挿入凸部１３の先端間の距離Ｌ１を山部７の内側傾斜面８と外側傾斜面９の上端間の距離Ｌ２より長く且つ山部７の内側傾斜面８と外側傾斜面９の下端間の距離Ｌ３よりも短く形成し、あらかじめ一方の屋根パネル１を屋根下地３４に載設固定し、この一方の屋根パネル１に対して他方の屋根パネル１をその被覆片６が一方の屋根パネル１の山部７に重なるように仮置きし、このとき、被覆片６の挿入凸部１３を山部７の外側傾斜面９に載置すると共に被覆片６の係止凸部１２を山部７の内側傾斜面８に載置した状態にし、次に、被覆片６の踏込面１４を施工者が上方から踏み込むことで、内側傾斜面８に載置された係止凸部１２が内側傾斜面８の途中にとどまったまま外側傾斜面９に載置された挿入凸部１３が外側傾斜面９に沿って下方にスライド移動して挿入凸部１３が挿入凹部１１に挿入され、続けて内側傾斜面８に載置されている係止凸部１２が内側傾斜面８に沿って下方にスライド移動されて係止凸部１２が係止凹部１０に至って係止凸部１２が係止凹部１０に係止されて一対の屋根パネル同士１，１を連結させたことを特徴とする。
【００２３】
これによると、屋根下地３４に載設固定した一方の屋根パネル１に対し、施工者が後ろ手に持って搬送してきた他方の屋根パネル１をその被覆片６が上記一方の屋根パネル１の山部７に重なるように仮置きしたときには、被覆片６の係止凸部１２と挿入凸部１３の先端間の距離Ｌ１が山部７の内側傾斜面８と外側傾斜面９の上端間の距離Ｌ２より長く且つ山部７の内側傾斜面８と外側傾斜面９の下端間の距離Ｌ３よりも短く形成されているので、一方の屋根パネル１の山部７の内側傾斜面８には他方の屋根パネル１の被覆片６の係止凸部１２を載置すると共に該山部７の外側傾斜面９には該被覆片６の挿入凸部１３を載置した状態に確実にできる。ここで、この他方の屋根パネル１の仮置き状態では、他方の屋根パネル１を後ろ手に持って搬送してきた施工者は既設された一方の屋根パネル１上に立つこととなる。次に、上記仮置きした屋根パネル同士を連結するのであるが、この施工作業は、上記仮置き施工後の立ち位置を変更せずにそのままの立ち位置で施工者が被覆片６の踏込面１４を上方から踏み込むことで行うことができる。つまり、屋根パネル１の仮置き後に立ち位置を変更しない施工者による被覆片６を踏み込むというワンアクションの施工作業で屋根パネル同士１，１を連結できるから、良好な施工作業で屋根パネル１の連結施工を行うことができるのである。そして、この屋根パネル１の連結施工において、施工者が被覆片６の踏込面１４を上方から踏み込んだ際には、山部７の外側傾斜面９の勾配角度αが内側傾斜面８の勾配角度βに比べて急勾配に形成されているので、内側傾斜面８に載置された係止凸部１２は内側傾斜面８の途中にとどまったまま外側傾斜面９に載置された挿入凸部１３が外側傾斜面９に沿って下方にスライド移動して外側傾斜面９の最下端を越えて挿入凹部１１に至り、挿入凸部１３が挿入凹部１１に挿入位置された時点で内側傾斜面８に載置されている係止凸部１２が内側傾斜面８に沿って下方にスライド移動して内側傾斜面８の最下端を越えて係止凹部１０に至ることで、山部７に被覆片６を被覆させて隣接する一対の屋根パネル同士１，１を連結させることができる。つまり、被覆片６の挿入凸部１３の山部７の挿入凹部１１への挿入、被覆片６の係止凸部１２の山部７の係止凹部１０への係止が、従来技術にあるように同時に行われるものではなく、タイミングをずらして順次連続的に行わせることができたことから、施工者による踏込面１４への踏込力は、まず挿入凸部１３を外側傾斜面９に乗り越えさせ、次いで係止凸部１２を内側傾斜面８に乗り越えさせる、といったように順に集中して使われることとなり、従来技術のように挿入凸部１３を外側傾斜面９に乗り越えさせると同時に係止凸部１２を内側傾斜面８に乗り越えさせるために被覆片６を大きく弾性変形させる必要もなく、つまり施工者は小さい踏込力で施工作業を行うことができたものであり、この点でも屋根パネル１の連結施工に良好な施工性を確保できる。
【発明の効果】
【００２４】
本発明は、施工者が被覆片を踏み込むというワンアクションで一対の屋根パネル同士を連結させると共に、施工者が付与する踏込力も抑制させたことで、良好な施工作業で屋根パネルの連結施工を行わせることができた、といった利点を有する。
【発明を実施するための最良の形態】
【００２５】
以下、本発明を添付図面に示す実施形態に基いて説明する。
【００２６】
本例の屋根は、屋根下地３４上に互いに連結させた複数の屋根パネル１を葺設したことで形成されたものである。屋根パネル１は、図２のように、上下の金属板２，３の間に断熱材４を充填してなるサンドイッチ構造の板状の主体部５を有して形成されている。ここで、金属板２，３にはガリバリウム鋼板が、断熱材４にはポリイソシアヌレートフォームや硬質ポリウレタンフォームやロックウールが好適に用いられる。屋根パネル１の一側端部１ａには上側の金属板２を主体部５から外方に延出させてなる弾性変形可能な被覆片６が設けられている。被覆片６は全体として屋根パネル１の一側端部１ａから略水平な外方に突出するようにされている。また、屋根パネル１の他側端部１ｂには主体部５を上方に突出させたような山部７が上方に向けて突設されている。屋根を構成する複数の屋根パネル１は、隣接する屋根パネル１のうち一方の屋根パネル１の山部７に他方の屋根パネル１の被覆片６を被覆することで、隣接する屋根パネル同士１，１が連結されるようになっている。
【００２７】
詳しくは、図１のように、屋根パネル１の山部７の内側部には下方程内方に向けて傾斜する内側傾斜面８が形成され、山部７における内側傾斜面８の下部には係止凹部１０が外方に向けて凹設されている。本例の係止凹部１０は縦断面略矩形溝状に形成されており、この係止凹部１０によると山部７の内側下部に屋根パネル１の上面に略平行に対向するような略水平な下面を形成する。この係止凹部１０の下面は後述の係止凸部１２の係止端２２が下方から引っ掛け係止される被係止面２３を構成している。
【００２８】
また、山部７の外側部には下方程外方に向けて傾斜する外側傾斜面９が形成されている。この外側傾斜面９の勾配角度α（水平面に対する傾斜角度）は内側傾斜面８の勾配角度βに比べて急勾配に形成されている（α＞β）。
【００２９】
また、山部７における外側傾斜面９の下部には挿入凹部１１が内方に向けて凹設されている。本例の挿入凹部１１は縦断面略三角形溝状に形成されており、この挿入凹部１１によると山部７の外側下部に外斜め下方に面する下面を形成する。この挿入凹部１１の下面は後述の挿入凸部１３の接触面２４が接触する被接触面２５を構成している。この挿入凹部１１の被接触面２５は、斜め下外方に面するような上方に凹む円弧面、または下方程内方に向けて傾斜する傾斜面に形成される。また、挿入凹部１１の被接触面２５の内端でもある下端部位は屋根パネル１の主体部５の他側端面５ｂに連続するのであるが、この屋根パネル１の主体部５の他側端面５ｂは下方程外方に向けて傾斜して外斜め上方に面する傾斜面に形成されている。この傾斜面状にされた他側端面５ｂの水平面に対する勾配角度ζは上記外側傾斜面９の勾配角度αより緩い勾配に形成されている（ζ＜α）。
【００３０】
また、山部７の上部には略水平な固定面２６が形成されている。この固定面２６は屋根パネル１を屋根下地３４に固定するためにボルト等の固着具２７が打入される面である。固着具２７は屋根パネル１を上下に貫通して屋根下地３４に固定されることで屋根パネル１を屋根下地３４に固定させる。本例では山部７の上面から下方に凹む固着具収納用凹所２８の底面が固定面２６を構成しており、屋根パネル１に打入した固着具２７の頭部２７ａは固着具収納用凹所２８に収納されるようになっている。
【００３１】
また、屋根パネル１の他側端部１ｂの下端部には目地形成用突部１５が略水平外方に向けて突設されている。この目地形成用突部１５は、屋根パネル１の他側端部１ｂの下端部から外方に向けて突出した横突部１６と、横突部１６の突出先端で上方に突出した縦突部１７とで形成されており、側面視で略Ｌ字突片状に形成されている。詳しくは、縦突部１７の外側面１７ａは屋根パネル１の水平な下面から略垂直に立設する略垂直面に形成されており、縦突部１７の内側面１７ｂには下方程内方に傾斜する挿入用傾斜面２１が形成されている。
【００３２】
被覆片６は、山部７の内側部を覆って被覆片６の延出先端部を構成する外側縦片６ａと、山部７の外側部を覆って被覆片６の延出基端部を構成する内側縦片６ｂと、外側縦片６ａと内側縦片６ｂとの各上端を連結して山部７の上部を覆う連結片６ｃとで縦断面略逆Ｕ字片状に形成されている。この被覆片６は屋根パネル１の一側端部１ａの主体部５の上端から延出されている。被覆片６の延出先端部には外側縦片６ａから内方に突出して山部７の係止凹部１０に係止する係止凸部１２が形成されている。この係止凸部１２は外側縦片６ａの下端を斜め上内方に向けて折曲して傾斜板状に形成されており、折り返して補強が施された上端部が山部７の被係止面２３に下方から係止する係止端２２とされている。
【００３３】
被覆片６の延出基端部には内側縦片６ｂから外方に突出して山部７の挿入凹部１１に挿入する挿入凸部１３が形成されている。詳しくは、挿入凸部１３は、被覆片６を内側縦片６ｂから略水平に近い下降角度で外方に突出させると共に、その突出先端部位で急激に外方に凸の円弧状に折曲げ、その下端が主体部５の上側の金属板２に連続するように形成されている。つまり、挿入凸部１３の下端が被覆片６の主体部５からの延出基端となっている。ここで、挿入凸部１３の上面は、山部７の挿入凹部１１に挿入した際に挿入凹部１１の被接触面２５に接触する接触面２４を構成している。この接触面２４となる挿入凸部１３の上面は挿入凹部１１の被接触面２５に一点で接触するように上方に凸の円弧面に形成されている。また、屋根パネル１の主体部５の一側端面５ａは、隣接する屋根パネル１の主体部５の他側端面５ｂに略平行に対向するように、下方程内方に向けて傾斜して外斜め下方に面する傾斜面に形成されている。つまり、この傾斜面にされた一側端面５ａの水平面に対する勾配角度ζも、他側端面５ｂと同様に、上記外側傾斜面９の勾配角度αより緩い勾配に形成されている（ζ＜α）。
【００３４】
被覆片６の延出先端部と延出基端部との間には山部７の上部を被覆する略水平な踏込面１４が形成されており、本例では連結片６ｃがこれを構成している。ここで、被覆片６の挿入凸部１３と係止凸部１２の各先端間（すなわち挿入凸部１３の外方突出端と係止凸部１２の係止端２２との間）の距離Ｌ１は、山部７の内側傾斜面８と外側傾斜面９の各上端間の距離Ｌ２より長く、山部７の内側傾斜面８と外側傾斜面９の各下端間の距離Ｌ３よりも短く形成されている。
【００３５】
また、屋根パネル１の一側端部１ａの下端部には目地形成用突部１５を挿入する目地形成用凹部１８が凹設されている。この目地形成用凹部１８は、目地形成用突部１５の横突部１６が収容される横溝部１９と目地形成用突部１５の縦突部１７が収容される縦溝部２０とを連続させて側面視で略Ｌ字溝状に形成されている。詳しくは、縦溝部２０の内側面２０ａは屋根パネル１の水平な下面から略垂直に上方に凹設する略垂直面に形成されており、縦溝部２０の外側面２０ｂには下方程外方に傾斜する挿入用傾斜面２１が形成されている。なお、目地形成用突部１５や目地形成用凹部１８の表面は裏側の金属板３で被覆されている。
【００３６】
また、本例の屋根パネル１にあっては中央部分に化粧用山部２９を上方に突設させている。また、隣接する屋根パネル同士１，１を連結した状態で固着具２７よりも外方に位置する被覆片６の連結片６ｃの部位かまたは該固着具２７よりも内方に位置する山部７の上部の部位には、被覆片６と山部７との間に介在させて侵入した雨水を固着具２７に至らしめないようにする水密パッキン３０が付設されている。本例の屋根パネル１では、被覆片６の連結片６ｃに下方に突出させた逃げ防止突部３１が形成され、この逃げ防止突部３１と連結片６ｃと外側縦片６ａとの角部との間に水密パッキン３０が充填するように設けられており、隣接する屋根パネル同士１，１が連結した状態で、水密パッキン３０が山部７の上面における内側傾斜面８の上端と固着具収納用凹所２８の上縁とで上下に圧接されて水密構造を形成するようにされている。また、屋根パネル１の主体部５の一側端面５ａまたは他側端面５ｂには断熱パッキン３２が付設されている。この断熱パッキン３２は、隣接した屋根パネル同士１，１を連結した状態で、対向する一方の屋根パネル１の他側端面５ｂと他方の屋根パネル１の一側端面５ａとの間に圧接されて、屋根の断熱性能の向上が図られるものである。
【００３７】
図１には、上記構成を有した屋根パネル１を用いて形成された屋根における、隣接する１対の屋根パネル１，１の連結部分の側断面図を示している。屋根下地３４に葺設した隣接する屋根パネル１の連結部分では、一方の屋根パネル１の挿入凹部１１に他方の屋根パネル１の挿入凸部１３が挿入され、一方の屋根パネル１の係止凹部１０に他方の屋根パネル１の係止凸部１２が係止されて一方の屋根パネル１の山部７に他方の屋根パネル１の被覆片６が被覆した状態となり、また、一方の屋根パネル１の目地形成用突部１５が他方の屋根パネル１の目地形成用凹部１８内に収納された状態となっている。各屋根パネル１の屋根下地３４への固定は各他側端部１ｂに設けた山部７を貫通して屋根下地３４に取り付けた固着具２７によって行われており、この固着具２７は隣接する屋根パネル１の被覆片６によって覆われて屋根に露出しないようにされている。すなわち、各屋根パネル１の一側端部１ａは、固着具２７によって屋根下地３４に直接的に固定されてはおらず、隣接する屋根パネル１の他側端部１ｂに上記連結構造で連結させることで、隣接する屋根パネル１の他側端部１ｂを介して間接的に屋根下地３４に固定されている。ここで、上記連結構造にあって、山部７に被覆した被覆片６は主に山部７に打入した固着具２７を被覆する役割を有するものであって、被覆片６を山部７に被覆することで隣接する屋根パネル１，１同士の連結強度を確保したものではない。隣接する屋根パネル１，１同士の連結強度は、主に被覆片６の挿入凸部１３が山部７の挿入凹部１１に位置された構造によって確保されている。詳しくは、被覆片６の挿入凸部１３が山部７の挿入凹部１１に位置された状態では、挿入凸部１３の上面（接触面２４）の上方に挿入凹部１１の下面（被接触面２５）が近接された状態になっている。この状態では、上記他方の屋根パネル１の挿入凸部１３は、この他方の屋根パネル１を載置した屋根下地３４と、屋根下地３４に固着具２７で固定された上記一方の屋根パネル１の挿入凹部１１の下面とで上下に挟まれた状態となり、つまり隣接する屋根パネル同士１，１は上下方向に略不動の状態になっている。なお、屋根パネル同士１，１の横方向へのズレは各屋根パネル１が固着具２７で屋根下地３４に固定されたことで生じないようになっている。
【００３８】
上記屋根を形成するには図３のような施工が行われる。
【００３９】
まず、図３（ａ）のように、上下反転した屋根パネル１を上下に積層してなる梱包状態で複数の屋根パネル１が施工現場に搬入される。ここで梱包状態にある複数枚の屋根パネル１は、上側に位置した屋根パネル１の山部７や化粧用山部２９が下側に位置する屋根パネル１の裏面にそれぞれ接地されるのであり、屋根パネル１の梱包状態に荷崩れを防止した良好な安定感を備えることが可能にされている。
【００４０】
次に、施工者は梱包を解いて屋根パネル１を後ろ手に把持して前方視界を確保しながら屋根下地３４を構成する屋根梁等の上を歩行し、図３（ｂ）のように屋根下地３４に固定した既設の屋根パネル１の他側端部１ｂの山部７に、新たに屋根の施工現場に運んだ屋根パネル１の一側端部１ａの被覆片６を重ねあずけるように仮置きする。ここで、本例の屋根パネル１では屋根パネル１の一側端面５ａの勾配角度ζが山部７の外側傾斜面９の勾配角度αよりも緩勾配にされているために、屋根パネル１の他側端部１ｂに新たに運んだ屋根パネル１の一側端部１ａを重ね置くときに、図３（ｂ）から（ｃ）に至るように、既設した屋根パネル１の山部７の外側傾斜面９上に新たに運んだ屋根パネル１の一側端面５ａを滑り落として被覆片６の挿入凸部１３を山部７の外側傾斜面９の上端近傍部位に確実に接地させ得るようにできる。そして、このときには、被覆片６の挿入凸部１３と係止凸部１２の各先端間の距離Ｌ１が山部７の内側傾斜面８と外側傾斜面９の各上端間の距離Ｌ２よりも長く且つ山部７の内側傾斜面８と外側傾斜面９の各下端間の距離Ｌ３よりも短く形成されているから、被覆片６の係止凸部１２が山部７の内側傾斜面８上に、また被覆片６の挿入凸部１３が山部７の外側傾斜面９上にそれぞれ載る状態となる（図４参照）。なお、上記山部７の内側傾斜面８と外側傾斜面９の各上端間の距離Ｌ２は、少なくとも被覆片６の挿入凸部１３が山部７の外側傾斜面９に接地した際に被覆片６の係止端２２が山部７の内側傾斜面８に接地できる寸法に形成される。
【００４１】
次にこれら屋根パネル同士の連結施工が行われるが、これは、図３（ｃ）のように、矢印Ａのように上記状態で山部７に被せ置かれた被覆片６の踏込面１４を施工者が下方に踏み込み、山部７の係止凹部１０の被係止面２３に被覆片６の係止凸部１２の係止端２２を係止させる、といったことで行われる。最後に図３（ｄ）のように、上記既に固定状態にある屋根パネル１に対して連結させた屋根パネル１を屋根下地３４に固着具２７を用いて固定する。そして図３（ｂ）〜（ｄ）の施工作業を繰り返すことで、複数枚の屋根パネル同士１，１が連結されると共に各屋根パネル１が屋根下地３４に各々固定されて屋根が形成されるのである。
【００４２】
ここで、本例にあっては、隣接する屋根パネル同士１，１を連結する屋根パネル１の連結施工を、仮置き施工終了時の立ち位置から動かない施工者による矢印Ａのような踏み込み動作で行うといったワンアクションの施工動作で行わせつつ、この施工者の踏込力も低減させる工夫が施されており、施工性の大幅な向上が可能にされたことに特徴が有り、下記に詳述する。
【００４３】
すなわち、被覆片６の係止凸部１２が山部７の内側傾斜面８上に、図４のように被覆片６の挿入凸部１３が山部７の外側傾斜面９上にそれぞれ載った状態から、施工者が被覆片６の踏込面１４を下方に踏み込んだときには、山部７の外側傾斜面９の勾配が内側傾斜面８の勾配に比べて急勾配に形成されたので、図５のように内側傾斜面８に載置された係止凸部１２は内側傾斜面８の途中にとどまったまま外側傾斜面９に載置された挿入凸部１３が外側傾斜面９に沿って下方にスライド移動し、挿入凸部１３が外側傾斜面９を乗り越えて挿入凹部１１に至って挿入凹部１１への挿入が行われるのであり、そして、図６のように挿入凸部１３が挿入凹部１１に挿入された時点で内側傾斜面８に載置されていた係止凸部１２が内側傾斜面８に沿って下方にスライド移動を開始し、図１のように係止凸部１２が内側傾斜面８を乗り越えて係止凹部１０に至って係止凹部１０への係止が行われるのであり、上記一連の動作によって山部７に被覆片６が係止されて隣接する一対の屋根パネル同士１，１が連結されるのである。このように施工者は被覆片６を踏み込むというワンアクションで一対の屋根パネル同士１，１を連結できるから、良好な施工作業での屋根パネル１の連結施工が可能にされているのである。
【００４４】
また、上記屋根パネル同士１，１の一連の連結動作においては、上述のように、まず挿入凸部１３を外側傾斜面９に乗り越えさせて挿入凹部１１に挿入し、次いで係止凸部１２を内側傾斜面８に乗り越えさせ係止凹部１０に係止させるといったように、挿入凸部１３を外側傾斜面９に乗り越えさせるタイミングと係止凸部１２を内側傾斜面８に乗り越えさせるタイミングとがずれるように、挿入凸部１３の挿入凹部１１への挿入動作と係止凸部１２の係止凹部１０への係止動作とが段階的且つ連続的に順に行われている。たとえば、図７のように、施工者が踏込面１４を踏み込んだ踏込力Ｗが被覆片６の挿入凸部１３及び係止凸部１２にＷ／２ずつ分かれて負荷されると仮定した場合には、外側傾斜面９の勾配角度をαとし、内側傾斜面８の勾配角度をβとし、山部７の外側傾斜面９の勾配が内側傾斜面８の勾配に比べて急勾配に形成されたことによると（α＞β）、挿入凸部１３にかかる外側傾斜面９に沿う踏込力の成分（挿入凸部１３を外側傾斜面９に沿ってスライド移動させるための力）はＷcos（９０°−α）／２となり、また、係止凸部１２にかかる内側傾斜面８に沿う踏込力の成分（係止凸部１２を内側傾斜面８に沿ってスライド移動させるための力）はＷcos（９０°−β）／２となる。つまり、挿入凸部１３にかかる外側傾斜面９に沿う踏込力の成分（挿入凸部１３を外側傾斜面９に沿ってスライド移動させるための力）は、係止凸部１２にかかる内側傾斜面８に沿う踏込力の成分（係止凸部１２を内側傾斜面８に沿ってスライド移動させるための力）に比べて大きくなるから、係止凸部１２が内側傾斜面８に沿ってスライド移動するよりも早く挿入凸部１３が外側傾斜面９に沿ってスライド移動することが可能にされているのである。
【００４５】
このように屋根パネル同士１，１の一連の連結動作において挿入凸部１３の挿入凹部１１への挿入動作と係止凸部１２の係止凹部１０への係止動作とが順に行われることによると、施工者による踏込力は、まず挿入凸部１３の挿入凹部１１への挿入動作である挿入凸部１３を外側傾斜面９に乗り越えさせることに、次いで係止凸部１２の係止凹部１０への係止動作である係止凸部１２を内側傾斜面８に乗り越えさせることに、順に集中して使われることとなる。したがって、従来技術のように挿入凸部１３の挿入凹部１１への挿入と同時に係止凸部１２の係止凹部１３への係止を行わせる（挿入凸部１３を外側傾斜面９に乗り越えさせると同時に係止凸部１２を内側傾斜面８に乗り越えさせる）ために被覆片６を大きく弾性変形させる、といった必要が本例では無くなるものであり、つまり、本例では施工者は小さい踏込力で施工作業を行うことができるのであり、この点でも屋根パネル１の連結施工に良好な施工性を確保できたものである。具体的に、本例の屋根パネル１によると上記踏込力を施工者一人が容易に踏み込むことができる程度の力（たとえば１０ｋｇｆ／ｍ以下、好ましくは５ｋｇｆ／ｍ以下）で屋根パネル１の連結施工を行うことが可能にされている。
【００４６】
詳しくは、図１のように、被覆片６の弾性係数をｋとし、挿入状態にある挿入凸部１３の挿入凹部１１への重なり代（挿入凸部１３の外端から外側傾斜面９の外端までの距離）をΔ１とし、係止状態にある係止凸部１２の係止凹部１０への重なり代（係止凸部１２の内端から内側傾斜面８の内端までの距離）をΔ２とした場合には、挿入凸部１３の挿入凹部１１への挿入（挿入凸部１３を外側傾斜面９に乗り越えさせる）に必要な被覆片６を弾性変形させる力Ｆ１はΔ１×ｋであり、係止凸部１２の係止凹部１３への係止（係止凸部１２を内側傾斜面８に乗り越えさせる）に必要な被覆片６を弾性変形させる力Ｆ２はΔ２×ｋである。なお、挿入凸部１３の挿入凹部１１への挿入と同時に係止凸部１２の係止凹部１３への係止を行わせる（挿入凸部１３を外側傾斜面９に乗り越えさせると同時に係止凸部１２を内側傾斜面８に乗り越えさせる）ために必要な被覆片６を弾性変形させる力Ｆ０は（Δ１＋Δ２）×ｋとなる。本例のように屋根パネル同士１，１の一連の連結動作において挿入凸部１３の挿入凹部１１への挿入動作と係止凸部１２の係止凹部１０への係止動作とを順に行わせる（挿入凸部１３を外側傾斜面９に乗り越えさせるタイミングと係止凸部１２を内側傾斜面８に乗り越えさせるタイミングとをずらす）と、必要な被覆片６を弾性変形させる力は上記Ｆ１（＝Δ１×ｋ）とＦ２（＝Δ２×ｋ）とのいずれか大きい方の力である。これらの力Ｆ１，Ｆ２は少なくとも上記力Ｆ０よりは小さくて済むものである。ここで、被覆片６を弾性変形させる力は踏込力に依るものである。したがって、本例の屋根パネル１の連結施工では、施工者は小さい踏込力で施工作業を行うことが可能にされているのである。
【００４７】
更に言うと、本例の屋根パネル１の連結構造では、挿入状態にある挿入凸部１３の挿入凹部１１への重なり代Δ１が、係止状態にある係止凸部１２の係止凹部１０への重なり代Δ２よりも長く形成されている。つまり、挿入凸部１３の挿入凹部１１への挿入に必要な被覆片６を弾性変形させる力Ｆ１は、係止凸部１２の係止凹部１０への係止に必要な被覆片６を弾性変形させる力Ｆ２に比べて大きい力が必要にされている。ここで、被覆片６を弾性変形させる力Ｆ１，Ｆ２は、具体的には、内側傾斜面８や外側傾斜面９に沿う踏込力の成分に依るものである。この内側傾斜面８や外側傾斜面９に沿う踏込力の成分にあっては、上述したように内側傾斜面８や外側傾斜面９の各勾配角度α，βに依るものであって、急勾配を有する外側傾斜面９に沿う踏込力の成分の方が大きくなる。つまり、本例の屋根パネル１では、係止凸部１２の係止凹部１０への重なり代Δ２に比べて挿入凸部１３の挿入凹部１１への重なり代Δ１が長く形成されたことによる、係止凸部１２の係止凹部１０への係止に必要な被覆片６を弾性変形させる力Ｆ２に比べて大きな挿入凸部１３の挿入凹部１１への挿入に必要な被覆片６を弾性変形させる力Ｆ１を、外側傾斜面９の勾配角度αが内側傾斜面８の勾配角度βよりも急勾配に形成されたことで、施工者が踏込面１４に付加する踏込力から有効に得ることができるようにされており、したがってこの点からも、屋根パネル１の連結施工の施工性の向上が図られているのである。
【００４８】
上述のように被覆片６を弾性変形させる力Ｆ１やＦ２は、係止凸部１２や挿入凸部１３が接地する内側傾斜面８や外側傾斜面９の勾配角度α，βをできるだけ急勾配にした方が、施工者の踏込力から有効に得ることができる。つまり、山部７の内側傾斜面８及び外側傾斜面９はできるだけ急勾配に形成するのが施工者の踏込力を低減できて好ましい。ここで、本例では、上述のように屋根パネル１の一側端面５ａの勾配角度ζが山部７の外側傾斜面９の勾配角度αよりも緩勾配にされているから、被覆片６を山部７に重ねるように仮置きした際には、被覆片６の挿入凸部１３が山部７の外側傾斜面９の上端近傍部位、つまり山部７のできるだけ内側寄りの位置に接地できる。そしてこのときには被覆片６の係止凸部１２も可及的に山部７の内側寄りの位置に位置できる。しかして、山部７の内側傾斜面８の上端を山部７のできるだけ内側の位置に位置設定できるのであって、内側傾斜面８の勾配角度βを比較的急勾配に形成し、施工者の踏込力を低減させて屋根パネル１の連結施工の施工性を向上できる。一方、屋根パネル１の一側端面５ａの勾配角度ζが山部７の外側傾斜面９の勾配角度αよりも急勾配にされた場合には、被覆片６の挿入凸部１３は山部７の外側傾斜面９の下端近傍部位、つまり外側傾斜面９の外側寄りの部位に接地されるのであり、このときには被覆片６の係止凸部１２は本例に比べて山部７の外側寄りの位置に位置されるのであり、内側傾斜面８の勾配設定は本例に比べて緩くならざるを得ない。すなわち、屋根パネル１の一側端面５ａの勾配角度ζが山部７の外側傾斜面９の勾配αよりも緩勾配にされたことによると、山部７の形状設定の自由度が向上するものであって、施工者の踏込力を低減させて屋根パネル１の連結施工の施工性を向上できる利点がある。
【００４９】
また、上記のように屋根パネル１の連結施工は、施工者が被覆片６の踏込面１４を下方に踏み込むといった作業で行われるが、被覆片６の踏込面１４の下面に備えられた水密パッキン３０は上記施工者が下方に向けて加える踏込力によって山部７に下方に押圧された状態で介装できたものであり、上記踏込力によって効果的に被覆片６と山部７との間に水密構造を形成できるのである。屋根パネル１の連結後には係止凸部１２の係止端２２が係止凹部１０の被係止面２３に下方から係止されて上記強固な水密構造が維持されるようになっている。
【００５０】
また、本例の屋根パネル１にあっては、図９乃至図１７のグラフに示す本出願人の研究の結果に基き、山部７や被覆片６の形状に工夫を施したことで、屋根パネル１の連結施工時に施工者が踏込面１４を踏み込む踏込力を小さくして施工性の向上を図っている。
【００５１】
図９乃至図１２のグラフは、被覆片６の踏込面１４と挿入凸部１３との距離Ｌ４における被覆片６の踏込面１４と係止凸部１２との距離Ｌ５に対する長さの割合ｂを違えた各屋根パネル１において、踏込面１４となる被覆片６の上端と屋根パネル１の上面との距離Ｈ（ｍｍ）と、被覆片６を構成する上側の金属板２の板厚ｔ（ｍｍ）と、屋根パネル１の連結施工に要する踏込力Ｗ（ｋｇ／ｃｍ）との関係を示すグラフである。また、図１３乃至図１７のグラフは、上記板厚ｔ（ｍｍ）を違えた各屋根パネル１において、上記割合ｂと、上記距離Ｈ（ｍｍ）と、上記踏込力Ｗ（ｋｇ／ｃｍ）との関係を示すグラフである。なお、被覆片６の踏込面１４と挿入凸部１３との距離Ｌ４は被覆片６の内側縦片６ｂの長さ寸法（踏込面１４から挿入凸部１３の上端までの高さ寸法）であり、また被覆片６の踏込面１４と係止凸部１２との距離Ｌ５は被覆片６の外側縦片６ａの長さ寸法（踏込面１４から係止凸部１２の下端までの高さ寸法）である。
【００５２】
図９乃至図１７のグラフからは以下のことがわかる。
【００５３】
まず、踏込面１４となる被覆片６の上端と屋根パネル１の上面との距離Ｈを長く形成すると、施工者が踏込面１４を踏み込む踏込力を小さくできることがわかる。つまり、施工者が踏込面１４を踏み込む踏込力は、挿入凸部１３の外側傾斜面９への乗り越えや係止凸部１２の内側傾斜面８への乗り越えの際に、被覆片６を弾性変形させるために使用されるのであるが、具体的に、挿入凸部１３が外側傾斜面９を乗り越えるには、主に連結片６ｃの内側端部を中心に内側縦片６ｂが内方に向けて回動するように撓み変形する必要があり、また、係止凸部１２が内側傾斜面８を乗り越えるには、主に連結片６ｃの外側端部を中心に外側縦片６ａが外方に向けて回動するように撓み変形する必要がある。ここで、踏込面１４となる被覆片６の上端と屋根パネル１の上面との距離Ｈを長く形成すると、被覆片６における踏込面１４と係止凸部１２との距離Ｌ５（外側縦片６ａの長さ寸法）や踏込面１４と挿入凸部１３との距離Ｌ４（内側縦片６ｂの長さ寸法）を長く採ることができて、踏込面１４を踏み込んだ際に被覆片６における踏込面１４と係止凸部１２との間や踏込面１４と挿入凸部１３との間の撓み変形量を大きくすることができ、結果、施工者が踏み込む踏込力を小さくできて屋根パネル１の連結施工の施工性を向上できるのである。
【００５４】
また、被覆片６を構成する上側の金属板２の板厚ｔを薄くすることでも、上記踏込面１４を踏み込んだ際に被覆片６における踏込面１４と係止凸部１２との間（つまり外側縦片６ａ）や、踏込面１４と挿入凸部１３との間（つまり内側縦片６ｂ）の撓み量を大きくすることができ、結果、施工者が踏み込む踏込力を小さくできて屋根パネル１の連結施工の施工性を向上できることがわかる。
【００５５】
また、被覆片６の踏込面１４と挿入凸部１３との距離Ｌ４における被覆片６の踏込面１４と係止凸部１２との距離Ｌ５に対する長さの割合ｂの違いによっても、施工者が踏み込む踏込力の増減に影響を与えることが明らかになった。つまり、割合ｂが小さくなると概ね屋根パネル１の連結施工に必要な踏込力が大きくなる傾向がある。なお、屋根パネル１の形状を総合的に勘案すると実施可能な割合ｂとしては０．２〜１．０程度である。
【００５６】
ここで、上記踏込面１４となる被覆片６の上端と屋根パネル１の上面との距離Ｈは、すなわち被覆片６の屋根パネル１からの上方への突出量であって、屋根パネル１ひいては屋根の外観にも大きく影響を及ぼす。したがって上記距離Ｈは屋根パネル１ひいては屋根に良好な外観を付与できる２０〜１００ｍｍが望ましく、実施レベルでは好ましくは２０〜４０ｍｍ程度である。また、上記被覆片６を構成する上側の金属板２の板厚ｔは、被覆片６自体ひいては屋根パネル１の強度にも大きく影響を及ぼす。したがって上記板厚ｔは屋根パネル１ひいては屋根に適度な強度を付与できる０．２７〜０．６ｍｍが望ましい。また、施工者が踏込面１４に加える踏込力としては、一人の施工者が片足で踏込面１４に容易に付与できる程度の踏込力（たとえば１０ｋｇｆ／ｍ以下、好ましくは５ｋｇｆ／ｍ以下）が望ましい。
【００５７】
しかして、屋根パネル１や屋根外観の良好な外観が確保できるように距離Ｈが２０〜１００ｍｍの範囲で且つ、被覆片６や屋根パネル１の強度が確保できるように板厚ｔが０．２７〜０．６ｍｍの範囲で、一人の施工者が踏込面１４に容易に付与できる踏込力（たとえば１０ｋｇｆ／ｍ以下、好ましくは５ｋｇｆ／ｍ以下）で屋根パネル１の連結施工が施工性良好に行えるように、距離Ｈと板厚ｔと割合ｂとの組み合わせを適宜決定するのがよい。たとえば、本発明の実施の形態の例の図１乃至８の屋根パネル１では、距離Ｈが３６ｍｍに形成され、板厚ｔが０．４ｍｍに形成され、被覆片６の踏込面１４と挿入凸部１３との距離Ｌ４における被覆片６の踏込面１４と係止凸部１２との距離Ｌ５に対する長さの割合ｂが０．９程度に形成されており、この場合屋根パネル１の連結施工に必要な踏込力は４．５ｋｇｆ／ｍ程度であった。また、本発明の実施の形態の他例である図１８の屋根パネル１では、距離Ｈが４１ｍｍに形成され、板厚ｔが０．５ｍｍに形成され、割合ｂが０．５程度に形成されており、この場合屋根パネル１の連結施工に必要な踏込力は７．７ｋｇｆ／ｍ程度であった。また、本発明の実施の形態の他例である図１９の屋根パネル１では、距離Ｈが４１ｍｍに形成され、板厚ｔが０．４ｍｍに形成され、割合ｂが０．２程度に形成されており、この場合屋根パネル１の連結施工に必要な踏込力は２．９ｋｇｆ／ｍ程度であった。
【００５８】
また詳しくは、本例の屋根パネル１では、山部７の内側傾斜面８の勾配（勾配角度β）に比べて被覆片６の外側縦片６ａから斜め上内方に折曲した係止凸部１２の勾配（勾配角度γ）を小さく形成しており、山部７の内側傾斜面８に係止凸部１２が載った状態でなるべく係止凸部１２の上端（すなわち被覆片６の突出先端）側が内側傾斜面８に接地するようにされている。係止凸部１２は外側縦片６ａの下端を固定点として内方及び外方に撓み易い形状であり、したがって、施工者が踏込面１４を踏み込んで挿入凸部１３が外側傾斜面９を乗り越える際には上記係止凸部１２自身の撓み変形も加味して被覆片６を撓み変形させることができるのであり、つまりこの点でも被覆片６自身の撓み量を大きくする工夫が為されていて、結果、施工者が踏み込む踏込力を小さくできて屋根パネル１の連結施工の施工性の向上が図られている。
【００５９】
ここで、上記屋根パネル１の連結施工において、上記他方の屋根パネル１の挿入凸部１３が一方の屋根パネル１の外側傾斜面９を乗り越えて挿入凹部１１に挿入された際には、一方の屋根パネル１の目地形成用突部１５が他方の屋根パネル１の目地形成用凹部１８に挿入されることも同時に行われる。他方の屋根パネル１の挿入凸部１３が山部７の外側傾斜面９を経て挿入凹部１１に至る際には、挿入凸部１３が外側傾斜面９の最下端を越える時点で被覆片６の弾性変形量は最大になるのであって、挿入凸部１３が外側傾斜面９の最下端を越えた瞬間、被覆片６は山部７の内側傾斜面８に係止凸部１２が接地されたままの状態で弾性復帰し、この被覆片６の弾性復帰に伴って他方の屋根パネル１を一方の屋根パネル１に向けて引き寄せる。このとき挿入凸部１３は挿入凹部１１の斜め下外方に面する被接触面２５に沿って移動するから、他方の屋根パネル１が一方の屋根パネル１への連結位置に導くように移動するのであり、目地形成用突部１５の目地形成用凹部１８への挿入が行われるのである。
【００６０】
ここで、本例では目地形成用突部１５を目地形成用凹部１８に挿入する際に摺れる場合のある縦突部収納用凹部２０の外側面２０ｂ及び縦突部１７の内側面１７ｂにそれぞれ挿入方向に略平行な傾斜面形状にされた挿入用傾斜面２１が形成されており、これにより目地形成用突部１５の目地形成用凹部１８へのスムーズな挿入動作の確保が図られている。なお、挿入用傾斜面２１は縦突部収納用凹部２０の外側面２０ｂと縦突部１７の内側面１７ｂとのいずれか一方のみに形成することでも目地形成用突部１５の目地形成用凹部１８へのスムーズな挿入動作の確保を図り得るので、これを適用しても好ましい。
【００６１】
また、上記のように被覆片６の弾性復帰を利用して他方の屋根パネル１を一方の屋根パネル１に向けて引き寄せることで、目地形成用突部１５を目地形成用凹部１８に収納させているのであるが、このときには、縦片部１７の外側面１７ａで構成された目地形成用突部１５の外端面が縦突部収納用凹部２０の内側面２０ａで構成された目地形成用凹部１８の内端面に当接されるのであり、近接した他方の屋根パネル１を一方の屋根パネル１に対して安定的に位置決め配置できるようにされている。ここで、上記当接する目地形成用突部１５の外端面と目地形成用凹部１８の内端面との間（すなわち縦片部１７の外側面１７ａと縦突部収納用凹部２０の内側面２０ａとの間）は、屋根の下方に臨む目地溝３３を構成する。しかして、隣接する屋根パネル１，１の位置決めの為に当接される目地形成用突部１５の外端面と目地形成用凹部１８の内端面とによると、屋根の下方に臨む目地溝３３をほとんど目地幅の無い糸目地形状に形成することも可能にされている。近年、建物空間の有効利用を図るべく屋根裏空間に屋根裏部屋を設けることもしばしばなされているが、このような場合に隣接する屋根パネル１，１間の目地溝３３が糸目地状に形成されたことによると、屋根裏部屋の仕上げ施工の際に必要とされる上記目地溝３３へのコーキング処理などの目地溝仕上施工を専門業者でなくとも簡単に行わせることができるのである。
【００６２】
なお、一方の屋根パネル１の目地形成用突部１５が目地形成用凹部１８に収容された状態では、上記のように目地溝３３を形成するべく目地形成用突部１５の外端面と目地形成用凹部１８の内端面とが近接状態にあると共に、縦突部収納用凹部２０の外側面２０ｂと縦突部１７の内側面１７ｂとが近接状態にある。一方の屋根パネル１の目地形成用突部１５を目地形成用凹部１８に収容させた状態の他方の屋根パネル１であって未だ固着具２７が打入されていない状態のとき（つまり屋根パネル１の連結施工の途中の状態のとき）に、この他方の屋根パネル１に対して一方の屋根パネル１から離間させる方向に何らかの外力が付加した場合にも、近接状態にある目地形成用凹部１８の縦突部収納用凹部２０の外側面２０ｂが目地形成用突部１５の縦突部１７の内側面１７ｂによって移動規制がされることから、一方の屋根パネル１と他方の屋根パネル１との離間防止が図られる利点もあり、この点でも屋根パネル１の連結施工の施工性の向上が図られている。
【００６３】
屋根を構成した各屋根パネル１の屋根下地３４への固定は、上述したように各他側端部１ｂに設けた山部７を貫通して屋根下地３４に取り付けた固着具２７によって行われ、各屋根パネル１の一側端部１ａは上記隣接する屋根パネル１の他側端部１ｂへの連結構造によって間接的に屋根下地３４に固定された状態となっている。すなわち各屋根パネル１は一側端部１ａで屋根下地３４に片持ち状に固定された状態になっている。ところで、屋外に晒される屋根には風が強く吹き付けられるのであり、この風によると屋根を構成する屋根パネル１に浮上させようとする負圧力が発生し、この負圧力によると屋根パネル１の一側端部１ａでは近接状態にある挿入凸部１３の上面（接触面２４）を挿入凹部１１の下面（被接触面２５）に下方から押し付けるように接触させるのであり、このとき負圧力は挿入凸部１３の接触点Ｄから延出基端までの被覆片６の部位に集中して負荷するようになる。この負圧力の負荷によって挿入凸部１３の接触点Ｄから延出基端までの被覆片６の部位が降伏（塑性変形）してしまうと、すなわち屋根が破壊された状態となって、構造上、外観上、種々の不具合が発生することとなる。本例の屋根パネル１にあっては、上記負圧力による被覆片６の降伏の恐れを完全に回避するべき工夫が施されており、以下に詳述する。
【００６４】
つまり、図８のように、挿入凹部１１の被接触面２５は斜め下外方に面するような上方に凹む円弧面または下方程内方に向けて傾斜する傾斜面に形成されており、挿入凸部１３の接触面２４は上方に凸の円弧面に形成されており、挿入凸部１３の接触面２４と挿入凹部１１の被接触面２５とが一点の接触点Ｄで接触するようにされているが、挿入凸部１３の接触点Ｄから延出基端までの被覆片６の部位において上記接触点Ｄの接線方向における接触点Ｄの法線軸Ｅからの最大距離Δ（ｍｍ）が、被覆片６の許容応力σａ（Ｎ／ｍｍ２）と、法線軸Ｅの垂直方向（負圧力のかかる方向）に対する傾き角度θと、被覆片６の板厚ｔ（ｍｍ）と、屋根に吹き付ける風により屋根パネル１を浮上させようとする端位負圧力Ｒ（Ｎ／ｍｍ）との関係において、Δ＜（σａ−（Ｒ／ｔcosθ））×（ｔ２cosθ／６Ｒ）という関係式（式（１））を満たすように設計されている。
【００６５】
なお、この式（１）は、被覆片６の許容応力σａ（Ｎ／ｍｍ２）と、被覆片６の降伏応力σ（Ｎ／ｍｍ２）と、被覆片６の安全率ａと、接触点Ｄに負荷される端位負圧力Ｒ（Ｎ／ｍｍ）と、上記端位負圧力Ｒによる接触点Ｄの法線軸Ｅ方向の反力Ｎ（Ｎ／ｍｍ）と、被覆片６における端位幅当たりの断面係数Ｚ（ｍｍ２）と、上記反力Ｎによる被覆片６の接触点Ｄにおける曲げモーメントＭ（挿入凸部１３の接触点Ｄから延出基端までの被覆片６にかかる最大曲げモーメント）（Ｎ）と、被覆片６の端位断面積（上側の金属板２の板厚ｔと同じ）Ａ（ｍｍ）との関係において成立する、Ｎ／Ａ＋Ｍ／Ｚ≦σａ（＝σ／ａ）という関係式（式（２））から求められる。ここで、接触点Ｄにおける法線軸Ｅの垂直方向に対する傾き角度をθとすると、ＮはＲ／cosθで求められるのであり、また、金属板２の断面形状が矩形状であることを前提とすると、Ｚはｔ２／６で求められるのであり、また、挿入凸部１３の接触点Ｄから延出基端までの被覆片６の部位において上記接触点Ｄの接線方向における接触点Ｄの法線軸Ｅからの最大距離をΔ（ｍｍ）とすると、ＭはＮ×Δで求められるのであり、式（２）を、接触点Ｄの接線方向における接触点Ｄの法線軸Ｅからの最大距離Δ（ｍｍ）、被覆片６の許容応力σａ（Ｎ／ｍｍ２）、法線軸Ｅの垂直方向に対する傾き角度θ、被覆片６の板厚ｔ（ｍｍ）、屋根に吹き付ける風により屋根パネル１を浮上させようとする端位負圧力Ｒ（Ｎ／ｍｍ）でのみ表すように変形させると、式（１）を得ることができる。このように本例の屋根パネル１では、負圧力による挿入凸部１３の接触点Ｄから延出基端までの被覆片６の部位で生じる恐れのある降伏（塑性変形）を完全に無くすることができたものであり、完全な耐負圧性能を備えた強固な屋根の構造を確保することができたものである。
【００６６】
なお、上記実施形態では各例の建築用パネルを屋根パネルとして用いた場合を例示したが、壁パネルに適用することもできる。これによっても防水性が高く且つ施工性が良好な建物壁を得ることができる。
【図面の簡単な説明】
【００６７】
【図１】本発明の実施の形態の例の屋根であって、隣接する１対の屋根パネルの連結部分の側断面図である。
【図２】同上の屋根パネルの斜視図である。
【図３】（ａ）〜（ｄ）は同上の屋根の施工を順に説明する説明図である。
【図４】同上の隣接する１対の屋根パネルの連結施工を説明する説明図である。
【図５】同上の隣接する１対の屋根パネルの連結施工を説明する説明図である。
【図６】同上の隣接する１対の屋根パネルの連結施工を説明する説明図である。
【図７】同上の内側傾斜面と外側傾斜面の勾配と踏込力との関係を示す屋根パネルの要部の略側断面図である。
【図８】同上の屋根にかかる負圧力に耐え得る構造を説明する要部の側断面図である。
【図９】距離Ｌ４の距離Ｌ５における割合ｂが０．９の屋根パネルについての、距離Ｈ（ｍｍ）と、板厚ｔ（ｍｍ）と、踏込力Ｗ（ｋｇｆ／ｍ）との関係を示すグラフである。
【図１０】距離Ｌ４の距離Ｌ５における割合ｂが０．７の屋根パネルについての、距離Ｈ（ｍｍ）と、板厚ｔ（ｍｍ）と、踏込力Ｗ（ｋｇｆ／ｍ）との関係を示すグラフである。
【図１１】距離Ｌ４の距離Ｌ５における割合ｂが０．５の屋根パネルについての、距離Ｈ（ｍｍ）と、板厚ｔ（ｍｍ）と、踏込力Ｗ（ｋｇｆ／ｍ）との関係を示すグラフである。
【図１２】距離Ｌ４の距離Ｌ５における割合ｂが０．３の屋根パネルについての、距離Ｈ（ｍｍ）と、板厚ｔ（ｍｍ）と、踏込力Ｗ（ｋｇｆ／ｍ）との関係を示すグラフである。
【図１３】被覆片の板厚ｔが０．２７ｍｍの屋根パネルについての、距離Ｈ（ｍｍ）と、距離Ｌ４の距離Ｌ５における割合ｂと、踏込力Ｗ（ｋｇｆ／ｍ）との関係を示すグラフである。
【図１４】被覆片の板厚ｔが０．３５ｍｍの屋根パネルについての、距離Ｈ（ｍｍ）と、距離Ｌ４の距離Ｌ５における割合ｂと、踏込力Ｗ（ｋｇｆ／ｍ）との関係を示すグラフである。
【図１５】被覆片の板厚ｔが０．４ｍｍの屋根パネルについての、距離Ｈ（ｍｍ）と、距離Ｌ４の距離Ｌ５における割合ｂと、踏込力Ｗ（ｋｇｆ／ｍ）との関係を示すグラフである。
【図１６】被覆片の板厚ｔが０．５ｍｍの屋根パネルについての、距離Ｈ（ｍｍ）と、距離Ｌ４の距離Ｌ５における割合ｂと、踏込力Ｗ（ｋｇｆ／ｍ）との関係を示すグラフである。
【図１７】被覆片の板厚ｔが０．６ｍｍの屋根パネルについての、距離Ｈ（ｍｍ）と、距離Ｌ４の距離Ｌ５における割合ｂと、踏込力Ｗ（ｋｇｆ／ｍ）との関係を示すグラフである。
【図１８】本発明の実施の形態の他例の屋根であり、隣接する１対の屋根パネルの連結部分の側断面図である。
【図１９】本発明の実施の形態の更に他例の屋根であり、隣接する１対の屋根パネルの連結部分の側断面図である。
【図２０】従来技術の例の屋根であり、隣接する１対の屋根パネルの連結部分の側断面図である。
【図２１】同上の隣接する１対の屋根パネルの連結施工を説明する説明図である。
【符号の説明】
【００６８】
１  屋根パネル
１ａ  一側端部
１ｂ  他側端部
２  上側の金属板
３  下側の金属板
４  断熱材
５  主体部
６  被覆片
７  山部
８  内側傾斜面
９  外側傾斜面
１０  係止凹部
１１  挿入凹部
１２  係止凸部
１３  挿入凸部
１４  踏込面
１５  目地形成用突部
１８  目地形成用凹部
２１  挿入用傾斜面
２７  固着具
３４  屋根下地
【図１】
0004739990.tif 000002
【図２】
0004739990.tif 000003
【図３】
0004739990.tif 000004
【図４】
0004739990.tif 000005
【図５】
0004739990.tif 000006
【図６】
0004739990.tif 000007
【図７】
0004739990.tif 000008
【図８】
0004739990.tif 000009
【図９】
0004739990.tif 000010
【図１０】
0004739990.tif 000011
【図１１】
0004739990.tif 000012
【図１２】
0004739990.tif 000013
【図１３】
0004739990.tif 000014
【図１４】
0004739990.tif 000015
【図１５】
0004739990.tif 000016
【図１６】
0004739990.tif 000017
【図１７】
0004739990.tif 000018
【図１８】
0004739990.tif 000019
【図１９】
0004739990.tif 000020
【図２０】
0004739990.tif 000021
【図２１】
0004739990.tif 000022